(57)【要約】【課題】シリコーンを含む燃焼空気が供給されても燃焼状態を正確に検出することが出来る燃焼装置を提供する。【解決手段】燃焼燃料と燃焼空気の供給を受けて火炎を形成して燃焼させる燃焼バーナと、この火炎中に電流を流しその大きさにより燃焼状態を監視するフレームロッド１０とを備えたもので、前記燃焼空気の供給経路１６に燃焼空気中のシリコーンを吸着するフィルター１７を備えたことにより、燃焼空気と共にシリコーンが燃焼バーナ６に供給されて、シリコーン酸化物になることがなく、フレームロッド１０への付着の心配がなく正確に燃焼状態の検出が出来るものである。【選択図】  図１
2014001862.tif 000002
【特許請求の範囲】
【請求項１】
燃焼燃料と燃焼空気の供給を受けて火炎を形成して燃焼させる燃焼バーナと、この火炎中に電流を流しその大きさにより燃焼状態を監視するフレームロッドとを備えたものに於いて、前記燃焼空気の供給経路に燃焼空気中のシリコーンを吸着するフィルターを備えた事を特徴とする燃焼装置。
【請求項２】
前記フィルターは、活性炭フィルターで構成した事を特徴とする請求項１記載の燃焼装置。
【請求項３】
前記フィルターは、活性炭フィルターでシリコーン分子が嵌り込む微細孔を有した事を特徴とする請求項１記載の燃焼装置。
【請求項４】
前記フィルターは、活性炭フィルターで供給経路の吸込口に着脱自在に取り付けられている事を特徴とする請求項１記載の燃焼装置。
【発明の詳細な説明】
【技術分野】
【０００１】
この発明は、化粧品等に含まれているシリコーンが燃焼して発生するシリコーン酸化物に強い燃焼装置に関するものである。
【背景技術】
【０００２】
従来よりこの種の燃焼装置では、３本の電極手段を備え、バーナが正常に燃焼している時に、火炎の一方の電位とバーナとの間で示す電位差を、火炎の二点の間で検出した電位差より理論的に求め、この求めた電位差と前記火炎の一方の電位とバーナとの間で検出した電位差とを比較して燃焼状態を判断して制御するものであった。（例えば、特許文献１参照。）
【先行技術文献】
【特許文献】
【０００３】
【特許文献１】特開平１１−３５１５６２号公報
【発明の概要】
【発明が解決しようとする課題】
【０００４】
ところでこの従来のものでは、殆どがフレームロッドにシリコーン酸化物が付着し堆積することを前提として、シリコーン酸化物が付着し堆積した状態でこれを如何に正確に検出するために、フレームロッドを増加させたり、複雑な制御や回路にする必要があり、しかもシリコーン酸化物が付着したフレームロッドは取り替えなければならず、極めて不経済であった。
【課題を解決するための手段】
【０００５】
この発明は上記課題を解決するために、特に請求項１ではその構成を、燃焼燃料と燃焼空気の供給を受けて火炎を形成して燃焼させる燃焼バーナと、この火炎中に電流を流しその大きさにより燃焼状態を監視するフレームロッドとを備えたものに於いて、前記燃焼空気の供給経路に燃焼空気中のシリコーンを吸着するフィルターを備えたものである。
【０００６】
又請求項２では、前記フィルターは、活性炭フィルターで構成したものである。
【０００７】
又請求項３では、前記フィルターは、活性炭フィルターでシリコーン分子が嵌り込む微細孔を有したものである。
【０００８】
又請求項４では、前記フィルターは、活性炭フィルターで供給経路の吸込口に着脱自在に取り付けられているものである。
【発明の効果】
【０００９】
この発明によれば、燃焼空気の供給経路に燃焼空気中のシリコーンを吸着するフィルターを備えたことにより、燃焼空気と共にシリコーンが燃焼バーナに供給されて、シリコーン酸化物になることがなく、フレームロッドへの付着の心配がなく、すなわち、シリコーン酸化物のフレームロッドへの付着をどのように検出するかではなく、燃焼空気中からシリコーン酸化物になる前のシリコーンを除去すると言う全く新しい発想で確実にシリコーンを除去したことで、フレームロッドの取り替えや追加、制御回路の改良等を行う必要がなく、極めて経済的で使用勝手が良いものである。
【００１０】
又請求項２によれば、前記フィルターは、活性炭フィルターで構成したので、確実にシリコーンを吸着することが出来ると共に、臭い分子も吸着して臭気の低減を図ることが出来るものである。
【００１１】
又請求項３によれば、前記フィルターは、活性炭フィルターでシリコーン分子が嵌り込む微細孔を有したので、更にシリコーン分子を微細孔に確実に吸着して離さず、長期に渡って維持することが出来るものである。
【００１２】
又請求項４によれば、前記フィルターは、活性炭フィルターで供給経路の吸込口に着脱自在に取り付けられているので、常に活性炭フィルターの状態を容易に把握出来、取り替えも簡単に行えるものである。
【図面の簡単な説明】
【００１３】
【図１】この発明の一実施形態の燃焼装置の概略構成図。
【図２】同活性炭フィルターの斜視図。
【図３】同活性炭フィルターの要部拡大説明図。
【発明を実施するための形態】
【００１４】
次にこの発明の一実施形態を図面に基づいて説明する。
１は有底筒状の気化筒で、上部周壁にはシーズヒーターから成る加熱ヒーター２が鋳込まれ、下部に備えたサーミスタから成る温度センサー３による通電制御で２２０℃〜２５０℃に保持され、該温度センサー３とは反対側の下部周壁にのぞませた噴霧ノズル４から供給される燃油を気化ガスとすると共に、送風口５から供給される燃焼空気とを予混合するものである。
【００１５】
６は前記気化筒１の上部開口に覆着した有天筒状のバーナヘッドからなる燃焼バーナで、周壁には火炎を形成する複数個の炎孔７を有している。
８は一端を気化筒１上端に連接し、燃焼バーナ６外周に立設したバーナヘッドリングで、炎孔７で形成される一次火炎及び二次火炎と接して、保炎及び気化筒１への気化熱のヒートバックを行うものである。
【００１６】
９は燃焼バーナ６外周に備えられ該燃焼バーナ６との間の放電で点火させる点火電極であり、対角線上の反対側には火炎の整流作用を利用して、フレーム電圧として点火及び燃焼状態を検知するフレームロッド１０が備えられている。
１１は気化筒１と燃焼バーナ６内とを仕切るラッパ状の集合板で、気化筒１内に垂下した部分で混合気を一旦集合させた後に拡散して、混合を促進すると共に、混合気の流速を抑制するものである。
【００１７】
１２は集合板１１上に備えられた有天筒状の整流筒で、上方には複数個の整流孔１３を有し、流入してくる混合気を整流しながら燃焼バーナ６の炎孔７に案内するものである。
１４は気化筒１に燃焼空気を供給するターボファンから成る燃焼ファンで、吸込口１５より吸引した室内空気を供給径路１６を介して送風口５より気化筒１内に供給するものである。
【００１８】
１７は前記供給経路１６の入り口である吸込口１５に着脱自在に取り付けられたフィルターを構成する活性炭フィルターで、紙（パルプ）にガラス繊維を絡めた基材に、活性炭を含浸させて形成したもので、複数の通気孔１８を形成し、活性炭は無数の微細孔１９を有しその穴径をシリコーン分子Ａが嵌り込む０．１〜０．３ナノメータとし、全体としては１５ミリの厚さを有するものである。
【００１９】
２０は電磁ポンプ２１によって圧送された燃油を気化筒１内に供給する送油管で、その先端には気化筒１内に突出した噴霧ノズル４が備えられている。
２２は送油管２０の他端が接続する固定タンクで、カートリッジ式の給油タンク２３から弁機構２４を介して供給される燃油を一旦貯留するもので、燃油量を検知し所定量以下で給油を報知させるフロート式の給油検知手段２５及び送油管２０へのゴミの流入を阻止するフィルター筒２６が備えられている。
【００２０】
次にこの発明一実施形態の作動について説明する。
今周知の運転操作することにより、加熱ヒーター２が通電され気化筒１を予め設定した気化可能温度まで昇温する。
【００２１】
そして気化筒１が設定温度に達するとこれを温度センサー３が検知し、燃焼ファン１４及び電磁ポンプ２１及び点火電極９をそれぞれ作動させる。
【００２２】
これによって、燃焼ファン１４は供給経路１６を介して送風口５より燃焼空気を気化筒１内に供給すると共に、電磁ポンプ２１の駆動で送油管２０を介して噴霧ノズル４より燃油が気化筒１内に噴霧され、気化筒１内では燃油が瞬時に気化されて燃焼空気との予混合が行われ予混合気が形成される。
【００２３】
そして、この予混合気は集合板１１を通過し集合と拡散を行いながら流速が抑えられた状態で、上方の整流筒１２内に流入し、該整流筒１２内で予混合気は更に混合が十分促進され、整流孔１３を通り整流した後、燃焼バーナ６の炎孔７から噴出して点火電極９で点火され予混合燃焼する。
【００２４】
更にこの燃焼は、燃焼ファン１４の駆動で供給経路１６の吸込口１５から流入する室内空気である燃焼空気は、吸込口１５い備えられている活性炭フィルター１７を通過することで、万一室内でヘアースプレー等が使用されて、室内にシリコーン分子Ａが浮遊している場合には、このシリコーン分子Ａが活性炭フィルター１７の微細孔１９に嵌り込んで吸着除去されることで、シリコーンが除去された燃焼空気のみが燃焼バーナ６に供給されるので、シリコーン酸化物自体の発生がなく、フレームロッド１０に付着堆積しないので、フレームロッド１０は常に確実に燃焼バーナ６の燃焼状態を検出することが出来るものである。
【００２５】
又この活性炭フィルター１７は、シリコーンと同時に燃焼空気中の臭い分子Ｂも吸着するので、室内の臭気の低減も図ることが出来るものであり、特に気化式の燃焼器具では、点火、消火時の臭気が課題であったが、この臭気も活性炭フィルター１７で吸着除去されるので、気化式の燃焼器具でも臭気のない良好な燃焼を得ることが出来ると言う効果を有するものである。
【００２６】
又この活性炭フィルター１７は、１０回の暖房シーズンに渡って使用可能で吸着性能が低下しないので、器具の製品寿命の１０年と同じであり、取り替えることなく製品と同時に破棄されるものであり、更にこの活性炭フィルター１７は、燃焼空気の供給経路１６の吸込口１５に備えられ、着脱自在であり状態を把握する時には、容易に取り外して全体を見ることが出来、又万一吸着量が多くて途中で取り替える時も、極めて簡単に取り替えることが出来るものであるが、活性炭フィルター１７は吸込口１５に限らず、供給経路１６中であれば何処に備えられても同じように効果を発揮するものである。
【００２７】
このように本発明では、従来シリコーン酸化物がフレームロッド１０に付着し堆積していたとしても、燃焼状態の検出をなんとか正確に行えるように工夫していたものを、燃焼空気中からシリコーンを除去し、そもそもシリコーン酸化物を発生させないと言う新しい発想で、シリコーンが浮遊する室内でも、活性炭フィルター１７を備えると言う極めて簡単な構成で正確に燃焼状態を検出することが出来るようにしたものであります。
【符号の説明】
【００２８】
１  気化筒
２  加熱ヒーター
６  燃焼バーナ
７  炎孔
１０  フレームロッド
１５  吸込口
１６  供給経路
１７  フィルター、活性炭フィルター
１９  微細孔
【図１】
2014001862.tif 000003
【図２】
2014001862.tif 000004
【図３】
2014001862.tif 000005